(57)【特許請求の範囲】
【請求項１】
床パンの上に浴槽を設けた構造の浴室ユニットへの配管を固定する構造であって、床パンと浴槽上面の間の壁パネルに所定寸法の開口を形成し、該開口に於ける壁パネルの裏側に本管を固定した複数の配管継手を着脱可能に取り付けた取付片と開口カバーを固定するための複数のネジ穴を形成した固定片とを有する配管固定具を配置すると共に該配管固定具の固定片を壁パネル裏面側に固定し、浴室側に前記配管固定具に固定した配管継手の継手部を覗かせる穴と前記複数のネジ穴と対向する穴とを形成した開口カバーを配置し、前記配管固定具の固定片に形成された複数のネジ穴に前記開口カバーに形成された固定片のネジ穴と対向する穴にボルトを挿通して締結することで、前記開口カバーを壁パネルを挟んで配管固定具に固定したことを特徴とする配管の固定構造。
【発明の詳細な説明】
【０００１】
【発明の属する技術分野】
本発明は、浴室ユニットの壁パネルに本管を固定した配管継手を固定する構造に関し、特に、浴室側から配管継手と本管を引き出せるようにした配管の固定構造に関するものである。
【０００２】
【従来の技術】
最近では、ロングライフ住宅と呼ばれる６０年、或いはそれ以上の寿命を実現した住宅が提供されている。このような住宅では、住宅の耐用期間中に個別に補修や更新が必要となる部位が生じる。このため、屋内の給水配管や給湯配管では、更新作業を容易に且つ確実に実施し得るような工夫がなされている。
【０００３】
例えば給水配管の場合、床下或いは天井に分配機能を持ったヘッダーを設置すると共に、該ヘッダーから個々の水栓取付位置までの間に可撓性を持ったさや管を配管して壁材や壁下地に固定し、このさや管の内部に可撓性を持った架橋ポリエチレン管を挿通して該本管の一方をヘッダーに接続すると共に、他方を水栓取付位置に設けた座付水栓エルボ等の端末器具に固定している。
【０００４】
このような配管構造では、本管のヘッダーに対する接続を解除して端末器具側から引っ張ることで、該本管をさや管内を通して引抜き、新たな本管を端末器具側からさや管内に押し込んで一方の端部をヘッダーに到達させた後、該ヘッダーに接続することで、更新することが出来る。
【０００５】
風呂場にはヘッダーに接続された給水配管の端末器具や給湯器に接続された給湯配管の端末器具、給湯器或いはボイラーに接続された追い焚き用の出，入配管の端末器具が設けられるのが一般的である。
【０００６】
このような配管構造の例について簡単に説明する。浴室ユニットを構成する床パンと浴槽の間にある壁パネルに４個の穴が形成され、該穴に夫々配管の端末器具（配管継手を含む）を取り付ける水栓ボックス等の固定金具が設けられている。固定金具は壁パネルの裏面側に設けられ、端末器具は浴室側に露出している。
【０００７】
上記構造に於いて、浴槽を移動させて端末器具を露出させた後、浴室側から操作して各端末器具の固定金具に対する固定を解除することが可能であり、且つ固定を解除した端末器具を浴室側へ引き出すことで、本管をさや管から引き抜くことが可能である。従って、浴室側からの作業によって本管の更新を行うことが可能となる。
【０００８】
【発明が解決しようとする課題】
上記技術では、床パンと浴槽上面との間に於ける壁パネルに取り付けた端末器具が個別に構成されるため、取付面積が大きくなり、施工性や作業性に劣るという問題がある。また４個の端末器具を固定するために、比較的高価な水栓ボックス等の固定金具も４個が必要となりコスト的に無視し得なくなる虞がある。また、水密性の確保が困難になるという問題も生じる。
【０００９】
本発明の目的は、壁パネルを有する浴室ユニットに於ける本管の更新作業を容易に行うことが出来、且つコストを上昇させることのない配管の固定構造を提供することにある。
【００１０】
【課題を解決するための手段】
上記課題を解決するために本発明に係る配管の固定構造は、床パンの上に浴槽を設けた構造の浴室ユニットへの配管を固定する構造であって、床パンと浴槽上面の間の壁パネルに所定寸法の開口を形成し、該開口に於ける壁パネルの裏側に本管を固定した複数の配管継手を着脱可能に取り付けた取付片と開口カバーを固定するための複数のネジ穴を形成した固定片とを有する配管固定具を配置すると共に該配管固定具の固定片を壁パネル裏面側に固定し、浴室側に前記配管固定具に固定した配管継手の継手部を覗かせる穴と前記複数のネジ穴と対向する穴とを形成した開口カバーを配置し、前記配管固定具の固定片に形成された複数のネジ穴に前記開口カバーに形成された固定片のネジ穴と対向する穴にボルトを挿通して締結することで、前記開口カバーを壁パネルを挟んで配管固定具に固定したものである。
【００１１】
上記配管の固定構造では、床パンと浴槽上面の間の壁パネルに形成した開口の、壁パネルの裏側に夫々本管を固定した複数の配管継手を取り付けた配管固定具を配置し、浴槽側に開口カバーを配置すると共に該開口カバーに設けた穴に配管継手の継手部を覗かせ、前記配管固定具と開口カバーとによって壁パネルを挟んで固定することで、配管継手を壁パネルの裏面側に固定することが出来る。
【００１２】
このため、配管継手に取り付けた本管を更新する場合、床パンに載置した浴槽を取り外すことで開口カバーを露出させ、更に、該開口カバーを取り外すことで、配管固定具に固定された複数の配管継手を一挙に露出させることが出来る。そして、配管固定具に固定された配管継手を離脱させて浴室側に引っ張ることで、配管継手と共に該配管継手に接続された本管をさや管から引き出すことが出来る。
【００１３】
また新たな本管を配管継手に接続し、該本管を押し込むことでさや管に挿通することが出来る。従って、浴室ユニットに於ける浴槽を取り外すことによって、浴室側から極めて容易に本管の更新作業を行うことが出来る。
【００１４】
【発明の実施の形態】
以下、本発明に係る配管の固定構造の好ましい実施形態について説明する。本発明に係る配管の固定構造は、浴室ユニットを構成する床パンと浴槽上面の間、即ち、床パンの上部で且つ浴槽上面までの間（以下同じ）に位置する壁パネルを利用して本管の端末に固定された複数の配管継手を固定すると共に、浴槽側から個々の配管継手を引っ張れるようにしたものである。即ち、本管の更新が必要になったときは、浴室ユニットを構成する浴槽を床パンから離脱させることで、配管継手を浴室側に露出させ、この浴室側から、配管継手と共に本管を引っ張り出せるようにしたものである。
【００１５】
このため、床パンと浴槽上面の間に於ける壁パネルに、配管固定具に応じた開口が形成され、壁パネルに於ける開口の裏側に配管固定具を、浴槽側に開口カバーを互いに対向させて配置し、これらの配管固定具と開口カバーを壁パネルを挟んで固定することで、複数の配管継手の継手部を夫々開口カバーの穴に覗かせることが可能である。
【００１６】
開口カバーと壁パネルとの間に防水パッキン等のシール材を設けることが好ましく、開口カバーを配管固定具とによって壁パネルを挟んで固定したとき、該開口カバーによって壁パネルに形成された開口を閉塞することが可能であり、壁パネルの裏面側への浸水を防止することが可能となる。
【００１７】
開口カバーに設けるシール材は特に限定するものではなく、開口カバーの全面に貼り付けるシート状のシール材、開口カバーの周囲に取り付ける棒状のシール材等を選択的に用いることが可能である。またシール材としての材質も特に限定するものではなく、適度な弾性を有し且つ経時的な劣化の度合いの少ないことが好ましい。
【００１８】
更に、開口カバーの穴から覗く配管継手の継手部にはＯリング等のシール材を装着したリングを螺合させて該シール材を開口カバーの表面に接触させ、これによりシールし得るように構成することが好ましい。
【００１９】
配管固定具に固定される配管継手の数は限定するものではなく、浴室ユニットに必要とされる数、例えば４個程度固定し得るものであることが必要である。
【００２０】
配管固定具は、開口カバー側から操作して個々の配管継手を着脱可能に取り付けることが可能であることが必要であり、材料や構造を限定するものではない。しかし、浴室ユニットに接して配置されるため、湿気に対して充分な耐性を有することが好ましい。このようなものとしては、プラスチック成型品やステンレス板の成型品であることが好ましい。
【００２１】
配管継手としても特に限定するものではないが、通常のさや管工法に採用される座付水栓エルボ等を好ましく用いることが可能である。また配管継手に固定される本管は可撓性を持った架橋ポリエチレン等の樹脂管であることが好ましい。
【００２２】
次に、上記固定構造の好ましい実施例について図を用いて説明する。図１は本実施例に係る固定構造を説明する図である。図２は配管固定具と開口カバーの構成を説明する斜視図である。図３は浴室ユニットに於ける浴槽と配管の固定部との関係を説明する図である。図４は浴室ユニットに対する配管経路の例を説明する図である。
【００２３】
先ず、固定構造Ａを説明するに先立って、浴室ユニットＢの構成について図３，図４により説明する。浴室ユニットＢは、周囲に図示しない扉を含む壁パネル１が配置され、天井面には点検口２ａを有する天井パネル２が配置され、更に、底面に床パン３が設けられた箱状に形成されている。床パン３の上面であって一方の壁パネル１に対向する部位に浴槽４が設置されており、該浴槽４と床パン３との間にエプロン５を設けることで、両者の間に形成された間隙を塞いでいる。
【００２４】
上記浴室ユニットＢでは、エプロン５を取り外した後、浴槽４を移動させることで、これらの浴槽４，エプロン５を床パン３から取り外すことが可能である。そして浴槽４，エプロン５を取り外すことで、壁パネル１を全面にわたって露出させることが可能である。
【００２５】
浴槽４との関係で、配管の固定構造Ａをどの部分に設けるかは限定するものではないが、本実施例では、浴槽４の長手方向の端部に対応する位置で且つ建物の外壁パネル６との間に設けられている。このため、固定構造Ａは浴室ユニットＢの隅部分に設けられる。
【００２６】
浴室ユニットＢと外壁パネル６との間に形成された空間を利用して、給水配管７、給湯配管８、追い焚き用出入配管９，10が夫々配管されている。各配管７〜10は、後述するように、可撓性を有し且つ所定の太さを持った樹脂製のさや管７ａ〜10ａと、さや管７ａ〜10ａの内部に挿脱可能に構成された本管７ｂ〜10ｂとによって構成されている。
【００２７】
給水配管７は天井に設けた図示しない給水用のヘッダーに接続されるため、浴室ユニットＢの壁パネル１に沿って立上り天井パネル２の裏側を経て配管されている。また給湯配管８も同様に図示しない給湯用のヘッダーに接続されるため、浴室ユニットＢの壁パネル１に沿って立上り天井パネル２の裏側を経て配管されている。また追い焚き用出入配管９，10は、追い焚き用ボイラーの設置位置に対し最も合理的な経路を辿ることが可能なように、浴室ユニットＢと外壁パネル６の間に形成された空間、或いは床パン３と床パネル11との間に形成された空間に配管されている。
【００２８】
上記各配管７〜10は、浴室ユニットＢの壁パネル１や床パネル11に設けたサドルバンド12によって固定又は保持されている。サドルバンド12は各配管７〜10を所定の経路に保持する機能を有し、特に、内部に挿入されている本管７ｂ〜10ｂを更新する際に、該本管７ｂ〜10ｂを引き抜く際に力が作用しても、この力によってさや管７ａ〜10ａが離脱することがないように強固に保持している。
【００２９】
各配管７〜10を配管する際の経路は上記実施例に限定するものではなく、ヘッダーの設置位置や、追い焚きボイラーの設置位置に対応して適宜設定することが好ましい。このため、４本の配管が全て天井を通過するような経路を形成することもあり、また４本の配管が全て床パンと床パネルの間に形成された空間を通過する経路が形成されるこもある。何れにしても、各配管の接続先の設置位置と、本管を挿脱する際に障害となるような曲率を生じさせることのないように配管することが必要となる。
【００３０】
次に、固定構造Ａの構成について説明する。前述したように、本実施例では、固定構造Ａは、浴室ユニットＢに於ける床パン３と浴槽４の上面までの間の壁パネル１に形成される。図１，図２に示すように、浴室ユニットＢの壁パネル１は、断熱ボード等からなる厚いパネル本体１ａと、該パネル本体１ａの浴室側に設けられた薄い表面板１ｂとによって構成されている。
【００３１】
壁パネル１には、浴室ユニットＢを構成する床パン３の上方で且つ浴槽４の上面よりも下方に開口15が形成されている。この開口15は、本管７〜10の数に対応した配管継手16〜19の数に応じた横方向の長さと、配管継手16〜19を個別に且つ容易に通過させることが可能で、配管継手16〜19に固定された本管７ｂ〜10ｂを通過させることが可能な高さを有している。
【００３２】
尚、配管継手16〜19としては、本管７ｂ〜10ｂを差し込んでバンド16ｃ〜19ｃを締めつけることで固定し得る構造を有するものであれば良い。このような構造を有するものとして、本実施例では、座16ａ〜19ａ、ニップル等を螺合するネジ部を内周面に形成すると共に外周面にもネジ部を形成した継手部16ｂ〜19ｂ、本管を差し込んで固定するバンド16ｃ〜19ｃを有する座付水栓エルボを利用している。
【００３３】
開口15は壁パネル１を構成するパネル本体１ａ，表面板１ｂに同一の大きさで形成される必要はなく、防水性との関係で、少なくとも表面板１ｂに上記寸法を持って形成されていれば良い。本実施例では、図１に示すように、表面板１ｂに形成された開口は上記寸法を有しており、パネル本体１ａには開口15よりも大きい寸法の開口20が形成されている。
【００３４】
壁パネル１の裏側（パネル本体１ａ側）であって開口15と対向する位置に配管固定具21が配置されている。この配管固定具21は、複数の配管継手16〜19を着脱可能に取り付けるものであり、配管継手16〜19を取り付ける取付片22と、壁パネル１のパネル本体１ａに固定される固定片23と、配管継手16〜19を取り出す際の作業を容易に行えるように取付片22をパネル本体１ａから充分に離隔させる起立片24とを有して構成されている。
【００３５】
取付片22には、配管継手16〜19の取付座16ａ〜19ａに形成された穴のピッチと等しいピッチを持ち、且つ各配管継手16〜19の取付間隔に等しい間隔を持ってネジ穴22ａが形成されており、横方向の両端部には起立片24が一体的に形成されている。そして各ネジ穴22ａに対応する位置に各配管継手16〜19を配置し、座16ａ〜19ａにボルト25を挿通してネジ穴22ａに締結することで、配管継手16〜19を着脱可能に取り付けることが可能である。
【００３６】
また固定片23には、配管固定具21を浴室ユニットＢの壁パネル１を構成するパネル本体１ａに取り付ける際に利用する複数の穴23ａが形成されると共に、開口カバー27を固定するための複数のネジ穴23ｂが形成されている。前記ネジ穴23ｂの横方向の間隔（一対の固定片23に形成されたネジ穴23ｂの間隔）は壁パネル１に形成された開口15の横方向の寸法よりも小さい値を有している。
【００３７】
上記の如く、配管固定具21は、取付片22は両端部分に起立片24を有するものの、幅方向は開放された、略コ字状に形成される。このため、配管固定具21を横方向に取り付けたとき、上下方向に開放されるため、配管７〜10が上下何れの方向から配管されていても良く、汎用性の高い配管固定具とすることが可能である。
【００３８】
上記配管固定具21は、浴室ユニットＢを構成する壁パネル１の裏面側（パネル本体１ａ）に固定される。この場合、配管固定具21の固定片23を直接パネル本体１ａに固定することが可能である。本実施例では、パネル本体１ａとの間に補強合板26を介在させて配管固定具21を壁パネル１の裏面に取り付けている。このとき、固定片23に形成されたネジ23ｂは、壁パネル１に形成された開口15に露出している。
【００３９】
開口カバー27は浴室ユニットＢの壁パネル１に形成された開口15よりも大きい寸法を有しており、配管固定具21に設定された配管継手16〜19の取付位置に対応する位置に夫々配管継手16〜19の継手部16ｂ〜19ｂを覗かせる複数の穴27ａが形成され、且つ配管固定具21の固定片23に形成したネジ穴23ｂと対向する位置に穴27ｂが形成されている。
【００４０】
開口カバー27の外周に沿ってスポンジ等のシール材28が設けられており、また穴27ｅの周囲にもシール材29が設けられている。そして開口カバー27を壁パネル１に形成された開口15に対向させると共に、該開口15の周囲の表面板１ｂにシール材28を当接させ、穴27ｂにボルト30を挿通して固定片23に形成したネジ穴23ｂに締結することで、開口カバー27を配管固定具21に取り付けることが可能である。
【００４１】
上記の如く、配管固定具21が壁パネル１に形成した開口15の裏側に配置されると共に開口カバー27が開口15の浴室側に配置され、ボルト30によって互いに締結することで、これらの配管固定具21，開口カバー27は壁パネル１を挟んで該壁パネル１に固定される。
【００４２】
上記の如くして壁パネル１を挟んで裏側であるパネル本体１ａ側に配管固定具21を、浴室側である表面板１ｂ側に開口カバー27を固定したとき、該開口カバー27に形成された複数の穴27ａには夫々配管継手16〜19の継手部16ｂ〜19ｂが突出している。そして突出した継手部16ｂ〜19ｂに夫々シールテープを巻き付け、且つ開口カバー27との当接面にＯリング等のシール材を取り付けた水密リング31を締結することで、水密性を確保することが可能である。
【００４３】
即ち、ボルト30の締めつけに伴って、開口カバー27の外周部に設けたシール材28が壁パネル１の表面板１ａと圧接して水密機能を発揮し、同時にボルト30が穴27ｂの周囲に設けたシール材29に圧接して水密機能を発揮する。更に、穴27ａから突出した継手部16ｂ〜19ｂに夫々水密リング31を締結することで、該水密リング27ａに設けたＯリング等のシール材を穴27ａの周囲に圧接させることで水密性を発揮する。
【００４４】
従って、開口カバー27と壁パネル１の表面板１ｂとの間に形成される空隙がシール材28によって遮蔽され、且つ開口カバー27と開口15との間に形成される間隙がシール材29及び水密リング31に設けたシール材によって遮蔽されることとなり、浴室側に於ける入浴や掃除の際に、水が開口カバー27にかかったとしても、この水が開口15から浴室ユニットＢと外壁パネル６との間に形成された空間に浸入することがない。
【００４５】
尚、図１に於いて、32は外壁パネル６に沿って配置した断熱材、或いは下地材であり、さや管７ａ〜10ａを固定するサドルバンド12を取り付けている。
【００４６】
上記の如く構成された固定構造Ａでは、本管７ｂ〜10ｂを更新する際に浴室ユニットＢを構成するエプロン５，浴槽４を取り外すことで、浴槽４に対向して配置した開口カバー27を露出させることが可能である。
【００４７】
従って、開口カバー27の表面に露出している水密リング31を取り外し、且つボルト30を緩めて配管固定具21との締結を解除することで、開口カバー27を取り外し、これにより、開口15を開放することが可能である。そして開口15の開放に伴って、配管継手16〜19が露出するため、選択的にボルト25の締結を解除することで、配管固定具21の取付片22から配管継手16〜19を離脱させることが可能である。
【００４８】
このため、離脱させた配管継手16〜19を、開口15から浴室側に引き出すことで該配管継手16〜19に固定された本管７ｂ〜10ｂをさや管７ａ〜10ａから引き抜くことが可能である。
【００４９】
また本管７ｂ〜10ｂをさや管７ａ〜10ａから引き抜く際に、これらの本管７ｂ〜10ｂのヘッダー側の端部に新たな本管を接続しておき、その後、本管７ｂ〜10ｂをさや管７ａ〜10ａから浴室側に引き抜くことで、新たな本管をさや管７ａ〜10ａに挿入することが可能である。そして新たな本管７ｂ〜10ｂが開口15に達したとき、端部に配管継手16〜19を固定し、その後、配管継手16〜19の座16ａ〜19ａを取付片22の対応する位置に当接させると共にボルト25によって固定することで、本管７ｂ〜10ｂの更新を行うことが可能となる。
【００５０】
そして全ての配管継手16〜19を配管固定具21に固定した後、配管固定具21に開口カバー27を取り付けることで開口15を遮蔽し、更に、浴槽４，エプロン５を復帰させることで、本管７ｂ〜10ｂの更新作業を行うことが可能である。即ち、特別な作業を行うことなく、浴室側から本管７ｂ〜10ｂの更新作業を行うことが可能である。
【００５１】
前述の実施例では、配管固定具21には４個の配管継手16〜19を取り付けるように構成しているが、この数に限定するものではなく、追い焚き用ボイラーの仕様等に応じて必要な数に設定することが可能である。
【００５２】
【発明の効果】
以上詳細に説明したように本発明に係る固定構造では、特別な加工を行うことなく、浴室ユニットの内部から本管の更新作業を容易に行うことが出来る。
【００５３】
また配管固定具が複数の配管端末を固定し得るように構成されているので、必要な配管数を１個の配管固定具に取り付けることが出来る。このため、作業性を向上させることが可能となり、且つコストの増加を招くことがない。
【００５４】
また壁パネルに形成した開口を挟み込んで配管固定具と開口カバーを取り付けるため、水密性を保持するのが容易となる。
【図面の簡単な説明】
【図１】本実施例に係る固定構造を説明する図である。
【図２】配管固定具と開口カバーの構成を説明する斜視図である。
【図３】浴室ユニットに於ける浴槽と配管の固定部との関係を説明する図である。
【図４】浴室ユニットに対する配管経路の例を説明する図である。
【符号の説明】
Ａ                    固定構造
Ｂ                    浴室ユニット
１                    壁パネル
１ａ                  パネル本体
１ｂ                  表面板
２                    天井パネル
２ａ                  点検口
３                    床パン
４                    浴槽
５                    エプロン
６                    外壁パネル
７                    給水配管
８                    給湯配管
９，10                追い焚き用出入配管
７ａ〜10ａ            さや管
７ｂ〜10ｂ            本管
11                    床パネル
12                    サドルバンド
15                    開口
16〜19                配管継手
16ａ〜19ａ            座
16ｂ〜19ｂ            継手部
16ｃ〜19ｃ            バンド
20                    開口
21                    配管固定具
22                    取付片
23                    固定片
24                    起立片
22ａ                  ネジ穴
23ａ                  穴
23ｂ                  ネジ穴
25                    ボルト
26                    補強合板
27                    開口カバー
27ａ，27ｂ            穴
28，29                シール材
30                    ボルト
31                    水密リング
32                    下地材
【図１】
0004141157.tif 000002
【図２】
0004141157.tif 000003
【図３】
0004141157.tif 000004
【図４】
0004141157.tif 000005